(57)【要約】【課題】簡易な装置で、汚泥分離を困難にする糸状細菌の繁殖を防止しつつ廃水から効率よく窒素及びリンを除去可能な、廃水の活性汚泥処理技術を提供する。【解決手段】単一の処理槽10内で廃水Wに、活性汚泥Sを用いて硝酸態窒素の脱窒及びアンモニア態窒素の硝化を行う汚泥処理を施し、その一部を処理槽から分離槽30に分取して、被処理廃水から活性汚泥を収集し分離する。下処理槽40で、分離した活性汚泥の一部に新たな廃水Waを供給して嫌気性条件下とした後、処理槽に還流して被処理廃水残部に加え、これらの処理及び操作を繰り返し行う。下処理槽で脱窒細菌が活性化され、活性汚泥の残留硝酸態窒素の脱窒を完遂させることにより、処理槽の汚泥処理において硝化と共にリン酸態リンの活性汚泥への取り込みが行われる。【選択図】図１
2008023498.tif 000002
【特許請求の範囲】
【請求項１】
単一の処理槽内で廃水に活性汚泥を用いて硝酸態窒素の脱窒及びアンモニア態窒素の硝化を行う汚泥処理；
前記汚泥処理後の活性汚泥を含んだ被処理廃水の一部を前記処理槽から取り出す分取操作；
取り出された前記一部の被処理廃水に含まれる活性汚泥を収集し分離する分離操作；
分離した前記活性汚泥の一部に新たな廃水を供給して嫌気性条件下におく下処理；及び、
前記下処理後の活性汚泥を含んだ新たな廃水を前記処理槽内の被処理廃水残部に加える還流操作を有し、
前記汚泥処理、前記分取操作、前記分離操作、前記下処理及び前記還流操作を繰り返し行うことを特徴とする廃水の活性汚泥処理方法。
【請求項２】
前記下処理において供給される前記新たな廃水の量は、当該新たな廃水によって供給される有機質の量が前記一部の活性汚泥の残留硝酸態窒素の脱窒を実質的に完遂させるのに充分であるように設定され、これにより前記汚泥処理において前記硝化と共にリン酸態リンの活性汚泥への取り込みが行われる請求項１記載の廃水の活性汚泥処理方法。
【請求項３】
前記汚泥処理が行われる廃水と、前記下処理における新たな廃水との水量比率は、廃水中のアンモニア態窒素濃度と、前記汚泥処理後の被処理廃水の硝酸態窒素濃度との濃度比率に相当し、当該水量比率は、前記被処理廃水の硝酸態窒素濃度が外部廃棄を許容される値になるように当該濃度比率に基づいて設定する請求項１又は２に記載の廃水の活性汚泥処理方法。
【請求項４】
前記分取操作の後に前記還流操作を行い、当該還流操作の後に前記汚泥処理を前記分離操作と並行して行うようにして、前記汚泥処理、前記分取操作、前記分離操作、前記下処理及び前記還流操作を繰り返す請求項１〜３の何れかに記載の廃水の活性汚泥処理方法。
【請求項５】
前記下処理と並行して前記分取操作を行う請求項４記載の廃水の活性汚泥処理方法。
【請求項６】
前記還流操作によって前記処理槽に加えられる廃水の量が、前記分取操作において取り出される前記一部の被処理廃水の量に相当するように、前記下処理において供給される新たな廃水の量が調節される請求項１〜５の何れかに記載の廃水の活性汚泥処理方法。
【請求項７】
前記下処理は、更に、前記新たな廃水を供給する前の前記一部の活性汚泥を曝気する曝気処理を有する請求項１〜６の何れかに記載の廃水の活性汚泥処理方法。
【請求項８】
前記汚泥処理は、前記廃水を嫌気性条件に調整する嫌気性工程と、前記嫌気工程後の廃水を好気性条件に調整する好気性工程とを有し、前記嫌気性工程において前記脱窒が進行し、前記好気性工程において前記硝化及びリン酸態リンの取り込みが進行する請求項１〜７の何れかに記載の廃水の活性汚泥処理方法。
【請求項９】
前記分離操作に要する時間に応じて、前記汚泥処理において前記嫌気性工程及び前記好気性工程を繰り返し行う請求項８記載の廃水の活性汚泥処理方法。
【請求項１０】
更に、前記汚泥処理、前記分取操作、前記分離操作、前記下処理及び前記還流操作の繰り返しを効率化するための初期処理を有し、当該初期処理は、嫌気性条件下で未処理の廃水を活性汚泥に添加する第１操作と、第１操作を経た廃水及び活性汚泥を前記分取操作後の処理槽に補充する第２操作とを有する請求項４又は５に記載の廃水の活性汚泥処理方法。
【請求項１１】
廃水及び活性汚泥を収容するための処理槽；
前記処理槽に収容される前記廃水に、前記活性汚泥を用いて硝酸態窒素の脱窒及びアンモニア態窒素の硝化を行う汚泥処理を施すための、前記処理槽に設けられる処理機構；
前記処理機構によって汚泥処理を施した活性汚泥を含んだ被処理廃水の一部を前記処理槽から排出する排水手段；
前記処理槽から排出した前記一部の被処理廃水に含まれる活性汚泥を当該被処理廃水から収集し分離する分離手段；
分離した前記活性汚泥の一部に新たな廃水を供給して嫌気性条件下におくための下処理手段；及び、
前記下処理手段によって前記新たな廃水が供給され嫌気性条件下におかれた前記活性汚泥を前記処理槽へ供給するための還流手段を有することを特徴とする廃水の活性汚泥処理装置。
【請求項１２】
前記分離手段は、前記処理槽から排出される前記一部の被処理廃水を収容するための分離槽を有し、前記下処理手段は、前記新たな廃水が供給された前記活性汚泥を収容可能な下処理槽を有し、前記分離槽は、前記下処理槽と実質的に同等な収容量を有する請求項１１に記載の廃水の活性汚泥処理装置。
【請求項１３】
前記廃水の活性汚泥処理装置は、前記分離手段及び前記下処理手段として各々兼用される２つの槽を有し、前記排水手段は、前記処理槽からの排出毎に前記２つの槽に交互に前記一部の被処理廃水を供給し、前記２つの槽の各々が、前記一部の被処理廃水、及び、前記新たな廃水が供給された前記活性汚泥を継続して収容するように構成される請求項１１記載の廃水の活性汚泥処理装置。
【請求項１４】
前記下処理手段において供給される前記新たな廃水の量は、前記一部の活性汚泥の残留硝酸体窒素の脱窒を実質的に完遂させるのに充分な有機質を供給可能な量であり、前記処理機構が施す前記汚泥処理は、前記硝化と共にリン酸態リンの前記活性汚泥への取り込みを行う請求項１１〜１３の何れかに記載の廃水の活性汚泥処理装置。
【請求項１５】
更に、前記分離手段によって分離した活性汚泥を曝気するための、作動切り換え可能な曝気手段を有する請求項１１〜１４の何れかに記載の廃水の活性汚泥処理装置。
【請求項１６】
前記曝気手段は、前記下処理槽又は前記２つの槽に設けられ、前記下処理槽又は前記２つの槽は、新たな廃水を取り入れるための取水手段を有する請求項１５記載の廃水の活性汚泥処理装置。
【請求項１７】
前記処理機構は、前記処理槽内の廃水及び活性汚泥を好気性条件に調整するための作動切り換え可能な酸素供給手段と、前記廃水及び活性汚泥を混合するための攪拌手段とを有する請求項１１〜１６の何れかに記載の廃水の活性汚泥処理装置。
【発明の詳細な説明】
【技術分野】
【０００１】
本発明は、廃水の活性汚泥処理方法及び活性汚泥処理装置に関し、特に、活性汚泥の廃水からの分離を困難にする糸状細菌の増殖がなく、窒素及びリンが効率よく除去できる廃水の活性汚泥処理方法及び活性汚泥処理装置に関する。
【背景技術】
【０００２】
活性汚泥を用いた廃水の処理においては、硝酸態窒素の脱窒、アンモニア態窒素の硝化及びリン酸態リンの活性汚泥への取り込みが活性汚泥中の細菌によって進行し、これらの働きをする細菌は、各々、適正環境が異なる。脱窒を行う脱窒細菌は、嫌気性条件下で硝酸態窒素（硝酸、亜硝酸）を還元して窒素に変換し、硝化を行う硝化細菌は、好気性条件下でアンモニア態窒素を酸化して硝酸イオンを生成する。リン酸態リンを取り込むリン蓄積細菌は、好気性条件下ではリンを取り込み、嫌気性条件下ではリンを放出する。特に、環境中に硝酸態窒素がない場合は、嫌気性条件下で有機物を取り込み、増殖に有利な状態になる。
【０００３】
廃水の活性汚泥処理には、回分式処理と連続式処理とがあり、回分式処理は、１つの槽内で環境を嫌気性条件と好気性条件とに交互に切り換えることによってアンモニアの硝化及び脱窒を行って排水中のアンモニアを除去する方法であり、連続式処理は、環境が異なる連続した複数の槽を廃水が徐々に移動することによって処理が進行し、廃水が連続的に処理される方法である。下記特許文献１は、回分式による排水の活性汚泥処理方法を開示する。
【特許文献１】特開平８−２６７０８７号公報
【発明の開示】
【発明が解決しようとする課題】
【０００４】
脱窒細菌による脱窒が進行するには、養分としての有機質が必要であるが、好気性条件下で硝化が進行した後では排水中の有機質が分解消失しているため、回分式処理において汚泥処理を繰り返すには、上記特許文献１のように、外部から有機質を追加する必要がある。この追加を廃水中の有機質を用いて行うと、追加廃水に含まれるアンモニアに起因する硝酸が処理後に残存する。このため、回分式処理において残存硝酸の濃度を減少させるためには、廃水を部分的に排出／補充するように構成するが、硝酸濃度はゼロにはならず、又、硝酸の脱窒が完遂する前に有機質が消費し尽くされるので、リン蓄積細菌が有効に作用しない。従って、窒素及びリンの両方を除去するのは実質的に困難である。
【０００５】
このようなことから、窒素及びリンの両方を除去する処理方式として、連続式処理が採用されており、嫌気性条件及び好気性条件の繰り返しと、部分的な廃水の還流路を設けることによって、窒素及びリンの除去を進めている。
【０００６】
ところが、連続式の処理においては、回分式では繁殖し難い糸状の細菌が繁殖して排水中に糸状性バルキングを生じ、活性汚泥を廃水から沈降分離することが困難になるという問題がある。これを解決するには、廃水の逆流等が生じ難いように構造設計において種々な改良を加える必要があるが、各槽の最適な寸法及び構造を決定するのは難しく、変更幅を見越して設計すると過大な設備になり易く、建設コストが高騰し、流路の閉塞等の操作上におけるなどの問題も生じるので、実用的には非常に難しい。
【０００７】
本発明は、プロセスや装置の複雑な変更を要することなく、汚泥処理の各工程について時間等の条件を容易に変更・最適化でき、汚泥分離を困難にする糸状細菌の繁殖を防止しつつ廃水から効率よく窒素を除去でき、リンの効率的な除去も可能である廃水の活性汚泥処理方法を提供することを課題とする。
【０００８】
又、本発明は、簡易な構造で、汚泥分離を困難にする糸状細菌の繁殖を防止しつつ廃水から効率よく窒素を除去でき、リンの効率的な除去にも有効である廃水の活性汚泥処理装置を提供することを課題とする。
【課題を解決するための手段】
【０００９】
上記課題を解決するために、本発明者らは、鋭意研究を重ねた結果、回分式処理を改良して複数槽を用いて処理することによって、窒素及びリンを効率良く除去でき、糸状細菌の繁殖による問題を解決できることを見出し、本発明を完成するに至った。
【００１０】
本発明の一態様によれば、廃水の活性汚泥処理方法は、単一の処理槽内で廃水に活性汚泥を用いて硝酸態窒素の脱窒及びアンモニア態窒素の硝化を行う汚泥処理；前記汚泥処理後の活性汚泥を含んだ被処理廃水の一部を前記処理槽から取り出す分取操作；取り出された前記一部の被処理廃水に含まれる活性汚泥を収集し分離する分離操作；分離した前記活性汚泥の一部に新たな廃水を供給して嫌気性条件下におく下処理；及び、前記下処理後の活性汚泥を含んだ新たな廃水を前記処理槽内の被処理廃水残部に加える還流操作を有し、前記汚泥処理、前記分取操作、前記分離操作、前記下処理及び前記還流操作を繰り返し行うことを要旨とする。
【００１１】
上記下処理においては、新たな廃水に含まれる有機質を用いて上記一部の活性汚泥の残留硝酸態窒素の脱窒を実質的に完遂させ、これにより前記汚泥処理において前記硝化と共にリン酸態リンの活性汚泥への取り込みが行われる。
【００１２】
又、本発明の一態様によれば、廃水の活性汚泥処理装置は、廃水及び活性汚泥を収容するための処理槽；前記処理槽に収容される前記廃水に、前記活性汚泥を用いて硝酸態窒素の脱窒及びアンモニア態窒素の硝化を行う汚泥処理を施すための、前記処理槽に設けられる処理機構；前記処理機構によって汚泥処理を施した活性汚泥を含んだ被処理廃水の一部を前記処理槽から排出する排水手段；前記処理槽から排出した前記一部の被処理廃水に含まれる活性汚泥を当該被処理廃水から収集し分離する分離手段；分離した前記活性汚泥の一部に新たな廃水を供給して嫌気性条件下におくための下処理手段；及び、前記下処理手段によって前記新たな廃水が供給され嫌気性条件下におかれた前記活性汚泥を前記処理槽へ供給するための還流手段を有することを要旨とする。
【００１３】
上記下処理手段において供給される上記新たな廃水の量は、上記一部の活性汚泥の残留硝酸体窒素の脱窒を実質的に完遂させるのに充分な有機質を供給可能な量であり、前記処理機構が施す前記汚泥処理は、前記硝化と共にリン酸態リンの前記活性汚泥への取り込みを行う。
【発明の効果】
【００１４】
本発明によれば、回分式処理に従って窒素及びリンを好適に除去できるため、汚泥の沈降分離を阻害する糸状細菌の繁殖が防止され、効率良く廃水処理を行うことができる。又、廃水処理を行うための活性汚泥処理装置における改良は、簡易なものであり、煩雑な操作や工程管理を要せず、簡便且つ効率良く廃水処理を進めることができる。又、廃水の水質が変わった際に、脱窒、硝化、沈降等の各工程に費やす時間などの変更によって柔軟に対応できるので、大規模な装置改造等を伴わずに済む。
【発明を実施するための最良の形態】
【００１５】
汚泥の沈降分離を妨げる糸状細菌は、廃水の連続式処理において還流される廃水と関連して繁殖する傾向があり、糸状細菌が繁殖する条件について詳細に検討すると、有機質の濃度が低い（有機質濃度：約１３．６mg-COD／Ｌ以下）微好気性条件下の廃水中において糸状細菌がフロック生成細菌より優位に繁殖することが解った。つまり、好気性条件下で硝化を進行させた廃水を有機質濃度の高い嫌気性条件下の廃水に加えた部分においては、有機質の濃度が低く糸状細菌が繁殖し易い。又、嫌気性状態の廃水と好気性状態の廃水とが大きな水槽内で混合されているので、微好気性条件の廃水が常時生じ、同様に糸状細菌が繁殖し易い。これに基づくと、廃水の有機質濃度を急激に変化させるのが難しく微好気状態を防止し難い連続式処理においては、糸状細菌が繁殖し易い状態が必然的に生じ、糸状細菌の繁殖を防止するのは困難である。しかし、このような緩やかな濃度勾配の形成は、廃水を短時間で一気に供給する回分式処理においては回避でき、また、微好気状態についても、好気性条件と嫌気性条件とを切り換える間の極短時間にしか起こり得ないので、回分式処理において窒素除去とリン除去とを共に進行できるように改良できれば、糸状細菌の問題を解消しつつ窒素及びリンの両方を効率よく廃水から除去できる。
【００１６】
本発明は、上述のような回分式処理の改良に関し、活性汚泥処理を行う回分式処理槽に加えて、リン蓄積細菌の繁殖を優位にするための下処理を施す手段を使用し、処理槽から活性汚泥の一部を取り出して下処理手段によってリン蓄積細菌を優位に繁殖させて活性汚泥のリン蓄積能を高め、これを処理槽に戻して高められたリン蓄積能を用いて廃水のリン除去を行う。以下、本発明の活性汚泥処理方法及びこれに用いる活性汚泥処理装置について詳細に説明する。
【００１７】
図１は、本発明に係る廃水の活性汚泥処理装置の一実施形態を示す。この処理装置１は、廃水Ｗ及び活性汚泥Ｓを収容するための処理槽１０と、処理槽１０から活性汚泥Ｓを含んだ被処理廃水Ｗの一部を排出する排水手段である配管２０及びポンプ２１と、処理槽１０から排出した被処理廃水Ｗに含まれる活性汚泥Ｓを収集して被処理廃水Ｗから分離する分離手段として備えられる分離槽３０及びポンプ３１と、分離した活性汚泥Ｓの一部に新たな廃水Ｗａを供給して嫌気性条件下におく下処理を行うための下処理手段である下処理槽４０と、下処理後の新たな廃水Ｗａ及び活性汚泥Ｓを処理槽１０へ供給するための還流手段である配管５０及びポンプ５１とを有する。
【００１８】
処理槽１０には、排水の汚泥処理を行うための処理機構が装備されており、処理機構は、処理槽内の廃水及び活性汚泥を好気性条件に調整するための作動切り換え可能な酸素供給手段である曝気装置１１と、廃水及び活性汚泥を混合するための攪拌装置１２とを有する。処理槽１０で行われる汚泥処理には、廃水を嫌気性条件に調整する嫌気性工程と、この後の廃水を好気性条件に調整する好気性工程とが有る。嫌気性工程では、処理槽１０内で、廃水Ｗ及び活性汚泥Ｓを攪拌装置１２によって混合し、この時、嫌気性状態とするために必要に応じて槽内は外気から遮断されるが、水面からの酸素の溶け混みが無視できる程度であれば外気の遮断は不要である。この工程で、脱窒細菌の活動によって廃水Ｗ中の硝酸態窒素が還元され窒素となって廃水Ｗから放出される。つまり、脱窒が進行する。攪拌によって、廃水の局所的な水質変化が防止される。脱窒が完遂されて硝酸態窒素が無くなれば、リン蓄積細菌が活性化されてリン蓄積細菌が繁殖に優位になる。次の好気性工程では、攪拌装置１２を停止して曝気装置１１から廃水Ｗ及び活性汚泥Ｓに空気を吹き込むことにより好気性状態となり、廃水Ｗ中のアンモニア態窒素が硝化細菌によって酸化されて硝酸を生じる。この時、リン蓄積細菌は、取り込んでいた有機質を用いて繁殖すると共にリン酸態リンを取り込むが、この段階で廃水のリン酸態リンの除去が満足に進行するにはリン蓄積細菌が汚泥中で十分に繁殖する必要があり、処理槽１０内でリン蓄積細菌が繁殖に優位になる機会は極めて限られる。従って、汚泥中のリン蓄積細菌の繁殖及びリンの取り込み能の増強を可能にするための処理を別途行う必要がある。又、リンを取り込んだ細菌は、廃水から分離廃棄しなければ嫌気性条件下で廃水中にリンを再度放出するので、廃水処理の繰り返しに従って、リン除去のための汚泥廃棄が必要となる。これらは、後述する分離槽３０及び下処理槽４０において行われる。
【００１９】
処理槽１０において脱窒、硝化及びリンの取り込みを施した後の廃水Ｗ及び活性汚泥Ｓは、その一部が、処理槽１０から延伸する配管２０及びポンプ２１によって排出され、分離槽３０に収容される。
【００２０】
分離槽３０では、処理槽１０から分取される汚泥を含んだ廃水を、活性汚泥Ｓと廃水Ｗとに分離する。この実施形態では、沈降分離によって活性汚泥Ｓが分離槽底部に収集される。分離手段として、レーキの様な汚泥を掻き寄せて収集する機械的分離手段を用いても良い。活性汚泥Ｓから分離された廃水Ｗは、ポンプ３１を用いて分離槽３０から配管３２を介して廃棄される。活性汚泥Ｓは、廃水Ｗを含む濃縮汚泥の状態で分離槽３０に残るが、後続の下処理の効率の点から、活性汚泥Ｓに残留する廃水Ｗが少ないように可能な限り分離効率を高めることが望ましい。
【００２１】
この実施形態では、分離槽３０には下処理槽４０へ延伸する配管４１が接続されており、分離槽３０の濃縮汚泥Ｓは、その一部がポンプ４２等の搬送手段を用いて下処理槽４０に供給される。残りの汚泥は、リン蓄積細菌に取り込まれたリンを処理系から除去するために分離槽３０から排出し、焼却処理等を施して廃棄される。但し、活性汚泥Ｓのリン蓄積細菌のリン取り込み容量に余裕があって、更にリン取り込みが可能である場合には、分離槽３０の濃縮汚泥を全て下処理槽４０へ供給すれば良い。この判断は、分離槽３０の廃水のリン酸濃度の測定値に基づいて行うことができる。
【００２２】
下処理槽４０では、分離槽３０から供給される汚泥に、ポンプ４３等の送水手段を用いて新たな廃水Ｗａが供給され、必要ならば槽内を外気から遮断することによって、取水した新たな廃水Ｗａ及び活性汚泥Ｓを嫌気性条件下におく。下処理槽４０には、廃水Ｗａ及び活性汚泥Ｓを混合するための攪拌装置４４が装備されており、廃水Ｗａを攪拌することによって活性汚泥Ｓが分散し、局所的な品質変化が防止されて汚泥の活性化が均一になる。この状態では、活性汚泥Ｓに含まれていた廃水Ｗによる残留硝酸体窒素が脱窒細菌によって窒素に変換され、脱窒が完遂されて硝酸態窒素がなくなる（本願ではこのような硝酸態窒素のない嫌気性状態を絶対嫌気性と記載する）と、リン蓄積細菌が活性化して廃水中の豊富な有機質を取り込み、有機質を取り込んだリン蓄積細菌は他の細菌より繁殖に優位になる。従って、後の好気性状態で増殖することにより活性汚泥Ｓのリン蓄積容量が増大する。この増殖により増大する分のリン蓄積容量によって、前述の分離槽３０から系外へ廃棄された分の汚泥のリン蓄積容量が補充される。下処理が有効に機能するには、濃縮汚泥に供給される新たな廃水Ｗａの量が、活性汚泥Ｓに残留する硝酸態窒素の脱窒を実質的に完遂させて絶対嫌気性とするのに充分な（つまり、完遂当量を超える）量の有機質を供給可能な量であることが重要である。汚泥処理後の廃水は有機質量が少なくなっているので、取り扱いによっては汚泥に糸状細菌が増殖する可能性があるが、下処理槽４０では汚泥が有機質濃度の高い新たな廃水に接触するので、糸状細菌の増殖は防止される。この下処理槽４０は、処理槽１０における不慮の糸状細菌の増殖を回避する手段としても作用する。処理槽１０の汚泥処理後の廃水の有機質濃度はゼロに近いので、新たな廃水を直接処理槽１０に追加すると、混合状況によっては糸状細菌の増殖が促進される可能性が生じ、特に処理前の廃水の有機質濃度が１００mg-COD／Ｌ程度以下の場合に可能性が高くなるが、下処理槽４０を経由した場合には、下処理槽４０で活性化された硝化細菌及びフロック形成細菌が廃水と共に投入されるので、処理槽１０では糸状細菌が活性化する前に硝化細菌及びフロック形成細菌が先行して有機質を摂取するので、糸状細菌の繁殖抑制に有効となる。従って、廃水の水質変動や分離槽の分離効率などに起因して下処理槽で絶対嫌気性とならずリン蓄積細菌が活性化されない場合にも、下処理槽４０は有用な手段である。また、リン除去を必要としない廃水処理に本願発明を適用すれば、糸状細菌の増殖防止を確実にする手段として下処理槽４０を活用することができ、この場合、下処理槽４０において脱窒を完遂する必要はない。
【００２３】
上述の下処理に先立って濃縮汚泥Ｓに酸素を供給すると、残留廃水の有機質及び汚泥に蓄積されていた貯蔵有機質が酸化分解して汚泥中の細菌が飢餓状態になるので、新たな廃水Ｗａによって有機質が供給された時に細菌が有機質を取り込む速度が増加し、下処理の有効性が向上する。この酸素供給は、曝気処理によって可能であり、酸素又はこれを含む空気等のガスを供給するための曝気装置４５を下処理槽４０に設けて空気等を吹き込むことによって効率よく実施できる。尚、曝気装置４５に代えて攪拌装置を用いて同様の効果を得ることもできる。この場合、酸素の代わりに硝酸の結合酸素が消費（脱窒）される。
【００２４】
下処理後の新たな廃水Ｗａ及び活性汚泥Ｓは、配管５０を介してポンプ５１によって還流されて処理槽１０へ供給される。処理槽１０の水量は満水レベル（図中、破線Ｆで示す）に戻り、新たな廃水Ｗａを加えた残留廃水Ｗに対して、下処理後の活性化したリン蓄積細菌を含む活性汚泥Ｓによって再び汚泥処理が施される。還流後の空の下処理槽４０は、新たな廃水を収容して原廃水用貯水槽として利用しても良い。
【００２５】
上述のようにして、新たな廃水Ｗａを下処理槽４０に断続的に供給しながら、上述の汚泥処理、分取操作、分離操作、下処理及び還流操作を繰り返すことによって、廃水中のアンモニア態窒素及びリン酸態リンが除去され、硝酸態窒素濃度が許容可能な低濃度に減少した被処理廃水が活性汚泥処理装置の分離槽３０から排出される。廃水中のリンは、活性汚泥のリン蓄積細菌に取り込まれ、分離槽３０で収集された活性汚泥Ｓの一部と共に廃棄処分される。この際、分離槽３０から排出される廃水の容積と、下処理槽４０で活性汚泥Ｓに供給される新たな廃水Ｗａの容積とを等しくすることによって、処理槽１０において汚泥処理を施す廃水の容積（全量）が一定になる。
【００２６】
一般に、活性汚泥の沈降分離は長時間を要するので、分離槽３０における分離操作と並行して処理槽１０における廃水の汚泥処理を進めると、処理及び操作の効率化の点で有利であり、活性汚泥処理装置１の３つの槽１０，３０，４０を無駄無く活用できる。このためには、例えば、初期処理として、予め、下処理槽４０において新たな廃水と活性汚泥とで下処理を行っておき、汚泥処理後の廃水及び汚泥の一部を分離槽３０に分取した後（図１が示す状態）の処理槽１０に、下処理後の廃水Ｗａ及び活性汚泥Ｓを補充することにより、分離操作と汚泥処理とを並行して進行できる状態になり、時間当たりに処理可能な廃水量を多くでき、実質的に処理に要する時間の短縮と同等となる。この場合、分離後の活性汚泥に下処理を施す間に汚泥処理が終了したら、処理槽１０からの分取操作を並行して行えばよく、（汚泥処理／分離−廃水廃棄−下処理／廃水分取−還流）を一サイクルとして、処理及び操作が繰り返し行われる。
【００２７】
処理槽１０での汚泥処理においては、追加される新たな廃水に含有されるアンモニア態窒素が、汚泥処理後の廃水中に硝酸態窒素として残存するので、処理槽１０から分取される被処理廃水の硝酸態窒素濃度は、処理開始時つまり１回目の汚泥処理後においては、廃水のアンモニア態窒素濃度と同程度になるが、上記サイクルに従って処理を繰り返すことによって減少して定常化し、ほぼ一定状態の被処理廃水が分離槽３０から廃棄されるようになる。廃水処理が定常化した状態では、処理前の廃水のアンモニア態窒素濃度と汚泥処理後の廃水の硝酸態窒素濃度との濃度比率は、汚泥処理が施される廃水（全量）の容積と下処理で加える新たな廃水の容積との比率（水量比率）に実質的に相当し、処理前の廃水のアンモニア態窒素濃度をＡ、処理後に装置から排出される廃水の硝酸態窒素濃度をＮ、処理槽１０で汚泥処理を施す廃水の容積をＶ、下処理槽で追加される新たな廃水の容積をｖとすると、排出される廃水の硝酸態窒素濃度Ｎは、Ｎ＝Ａ×（ｖ／Ｖ）となり、新たな廃水の割合に依存する。廃棄する水に許容される最大硝酸態窒素濃度をＮmaxとすると、Ｎ≦Ｎmaxとなるためには、追加される新たな廃水の容積ｖは、ｖ≦（Ｎmax／Ａ）×Ｖによって概算で設定できる。つまり、水量比率ｖ／Ｖは、濃度比率Ｎmax／Ａに基づいて大まかに設定することができ、水量比率を適切に調節することによって、排出される被処理廃水の硝酸態窒素濃度を好適に目的濃度に近づけることができる。この時の新たな廃水の容積ｖの最小値は、下処理が有効となるのに必要な量であり、最大値は、廃棄する廃水の硝酸態窒素濃度がＮmaxとなる量となり、ｖが大きいほど処理槽１０へ供給される有機質量も多くなり、嫌気性工程が良好に進行する。但し、処理開始時においては、汚泥処理後の廃水は硝酸態窒素濃度が高いので、廃棄する被処理廃水を少なくする必要がある。このためには、前述の濃度比率に応じて設定される値より初期の水量比率ｖ／Ｖを小さく設定して段階的に増加させる方法や、初期の汚泥処理における廃水量を全量Ｖより少なく設定（例えば、Ｖ−ｖ）して、汚泥処理後の廃水に分取及び分離を行うことなく下処理後の新たな廃水を加える方法などがあり、諸状況を勘案して適宜選択する。
【００２８】
上記繰り返しによる定常化において、活性汚泥Ｓ中のリン蓄積細菌は、下処理槽４０で活性化されて好気性工程で繁殖し、これによって活性汚泥のリン蓄積能は増加するが、新たな廃水が繰り返し加えられることによって、処理系内のリン量は、細菌の取り込み飽和量に達する。従って、取り込み飽和量に達したら、前述のように分離槽３０の活性汚泥Ｓの一部のみに下処理を施すが、取り込み飽和量に達するまでは、分離槽の活性汚泥は全て下処理に供することができる。取り込み飽和に達したか否かは、汚泥処理後の廃水のリン酸態リン濃度のモニター結果に基づいて判断でき、廃水のリン濃度の上昇によって検知可能である。廃棄する活性汚泥の量は、新たな廃水によって加わるリン量に依存し、下処理によって増加可能なリン取り込み量を考慮して設定する。汚泥処理において使用される活性汚泥の量は、概して、１日に処理する有機質kg当たりの値で０．２〜０．６kgＣＯＤ／（kg活性汚泥・日）程度であるが、活性汚泥Ｓの全量に対して１日当たり３〜７乾燥質量％（又は容積％）程度を廃棄することが好ましい。
【００２９】
上述においては、活性汚泥処理装置１に供給される廃水の水質は一定で、硝酸態窒素を含まないことを前提とするが、廃水のアンモニア態窒素濃度が変動する場合、この変動に対応するには、廃水のアンモニア態窒素濃度を常時モニターしながら濃度比率の変動に応じて水量比率及び嫌気／好気の時間配分を適切に調節することによって、排出される被処理廃水の硝酸態窒素濃度を好適に制御できる。
【００３０】
分離槽３０における廃水と汚泥との分離が完全であれば、下処理槽４０から処理槽１０へ還流される廃水の量は、上述の新たな廃水の量ｖに等しいが、実際には、汚泥の収集・分離状況を正確に把握するのは難しいため、分離された汚泥に廃水が残留し、残留廃水量ｖ’が加わった（ｖ＋ｖ’）となる。下処理を有効に行うために必要な新たな廃水の量ｖは、残留する廃水の硝酸態窒素量に依存するので、残留廃水量ｖ’が多いほど新たな廃水の量ｖは多く必要となり、処理槽１０から分取、還流される廃水量（ｖ＋ｖ’）は二重に増加する。従って、汚泥処理後の廃水の硝酸態窒素濃度を低下させるには、残留廃水量ｖ’の低下が根本的に必要である。従って、活性汚泥処理装置１の槽の収容容積のバランスは、上記のように分離槽３０における分離効率を考慮して決定される。例えば、廃水のアンモニア態窒素濃度Ａが許容硝酸態窒素濃度Ｎmaxの１０倍で、分離槽３０での分離においてｖ＝ｖ’となる場合、水量比率は１／１０、分離槽３０及び下処理槽４０の容量は（ｖ＋ｖ’）＝２ｖで、処理槽の容量の１／５となる。
【００３１】
上述の分離槽３０及び下処理槽４０に必要とされる容量は同じと見なせる（但し、実際には、廃水の水質変動による追加廃水量の変更分が容量に考慮される）ので、これらを区別せずに２つの槽（第１及び第２槽）を交互に使用するように上記実施形態を変更することができる。具体的には、処理槽１０から排出された廃水を第１槽に収容し、汚泥を沈降させて廃水を除去した後の第１槽中の汚泥に新たな廃水を加えて下処理を行う。処理槽１０から次に分取される被処理廃水は、第２槽に収容して同様に沈降分離及び廃水の排出を行い、第２槽内で下処理を行う。第１槽で下処理を施した廃水は、第２槽への分取後に処理槽へ還流すればよい。この実施形態では、分離槽３０から下処理槽４０へ汚泥を搬送する手段４１，４２は不用であり、その代わりに、排出先を第１槽と第２槽との間で切り換え可能なように配管を構成し、処理槽１０から廃水を排出する排出先を変更する手段として切り替え弁等を設ける。下処理槽で使用する攪拌装置４４は、第１及び第２槽の両方に設けられる。下処理前の汚泥に曝気処理を施す場合は、第１及び第２槽の両方に曝気手段４５を設けて作動を切り替え制御する。
【００３２】
処理槽１０での汚泥処理（嫌気性処理＋好気性処理）に要する時間に比べて分離槽３０での分離操作に要する時間が極めて長い場合、効率よく汚泥処理装置１を利用するために、例えば、ａ）処理槽１０での汚泥処理を繰り返す、ｂ）汚泥の分離操作を２段階に分けて初期段階の分離を処理槽１０において行う、等の応用が可能である。
【００３３】
上記ａ）では、好気性処理後の廃水は有機質が不足するので、汚泥処理を繰り返す前に、廃水の追加によって有機質を補充して嫌気性処理における脱窒が進行可能とする必要がある。従って、処理槽１０での汚泥処理を繰り返す場合には、１回目の汚泥処理における廃水量は、汚泥処理を繰り返す際に追加する廃水量を考慮して設定する。
【００３４】
上記ｂ）では、処理槽１０において汚泥処理を終えた廃水に沈降分離等による分離操作を行うことによって処理槽１０の下部に活性汚泥Ｓが収集され、ある程度濃縮される。分離槽３０（又は第１及び第２槽の一方）が空いた時点で、処理槽１０内の半濃縮された汚泥を分離槽３０に排出する。この場合、排出物中の汚泥の廃水に対する比率が大きくなるので、分離操作を経て下処理を施す汚泥の量を増加することができ、リン蓄積能の増強の点で有利である。この時の濃縮汚泥の排出・分取量は、理想的には、濃縮汚泥に含まれる廃水量が前述の新たな廃水の量ｖになるように調節されるが、実際は、分離槽３０での分離が不完全で残留廃水ｖ’を含む（ｖ＋ｖ’）として分離効率を考慮して調節され、これが新たな廃水量ｖに近づくように分離槽３０での操作を最適化する。このような調節は、例えば、分離槽３０に汚泥界面計を装備し、分離槽３０での分離状況を分取操作における排出量に反映させる形で実現できる。具体的には、分離槽３０に排出された濃縮汚泥を分離した際に汚泥界面計で界面位置を検出することによって、分離槽３０から排出可能な上澄みの被処理廃水量、及び、分取された濃縮汚泥に対する上澄み被処理廃水の割合が決定される。上澄み被処理廃水量と新たな廃水量ｖとの差を求めて、この差分に相当する割合だけ、処理槽１０から排出する濃縮汚泥を減少させることによって、分離操作時の残留廃水量ｖ’を分離効率に対応して減少でき、より多くの汚泥及びリン蓄積細菌に対して下処理を施して高い効率で活性化できる。
【００３５】
上述のように、処理槽１０で処理された廃水の一部のみを分取して活性汚泥の分離及び下処理による活性化を行うことにより、活性汚泥の分離を施す容積が小さいため、分離効率を高め易い。又、下処理の曝気に要するエネルギーが節約でき、廃水の有機質を高濃度の状態で利用できるので、細菌の活性化の効率も高い。又、廃水の汚泥処理と汚泥分離とを並行して行えるので、処理効率が高く、単一槽で全てを行う従来の回分式装置よりも小型の装置で対応可能になる。
【００３６】
以下、実施例を参照して、本発明に係る廃水の活性汚泥処理方法及び装置について具体的に説明する。
【実施例】
【００３７】
曝気装置１１及び攪拌装置１２を備えた容量５Ｌの処理槽１０、廃水を沈降分離するための容量８３０mlの分離槽３０、及び、曝気装置４５及び攪拌装置４４を備える容量８３０mlの下処理槽４０を有する図１の活性汚泥処理装置１を用いて、アンモニア濃度６５０mg-Ｎ／Ｌ、硝酸・亜硝酸濃度０mg-Ｎ／Ｌ、リン酸濃度２５mg-Ｐ／Ｌの原廃水の処理を以下のようにして行った。
【００３８】
先ず、初期処理として、活性汚泥を処理槽に投入して原廃水（５Ｌ）を満たし、窒素ガスを用いて外気を遮断して嫌気性状態とし、５２分間攪拌装置１２を作動させて嫌気性処理を施し、脱窒細菌による脱窒を進行させた。この後、曝気装置１１を作動させて好気性条件とし、１９７分間好気性処理を施すことによって下硝化細菌による硝化を進行させて汚泥処理を終了した。この処理槽１０における汚泥処理と並行して、下処理槽４０に活性汚泥を投入して曝気装置４５で５９分間空気を吹き込んだ後、窒素ガスを用いて外気から遮断して嫌気性状態とし、原廃水（８３０ml）を満たして攪拌装置４４で２１分間攪拌して脱窒を進行させて絶対嫌気性にした。処理槽１０内の活性汚泥を含んだ廃水のうちの８３０mlを排水ポンプ２１で分離槽３０へ排出した後、下処理槽４０の活性汚泥を含んだ廃水を排水ポンプ５１で処理槽１０へ供給した。
【００３９】
次に、定常化のために、前述と同じ嫌気性処理及び好気性処理からなる汚泥処理（５２分＋１９７分）を施した。この汚泥処理の間に、分離槽３０の廃水を静置することにより沈降分離して汚泥を底部に濃縮した後、上澄み廃水４１５mlを排水ポンプ３１を用いて分離槽３０から廃棄し、底部に残留する濃縮汚泥（廃水４１５mlを含む）は下処理槽４０へ移送した。下処理槽４０の濃縮汚泥に曝気装置４５で５９分間空気を吹き込んだ後、窒素ガスを用いて外気から遮断して嫌気性状態とし、これに原廃水４１５mlを供給して２１分間攪拌装置４４で攪拌して脱窒を進行させ、絶対嫌気性にした。この後、汚泥処理後の廃水の分取（８３０ml）及び下処理後の廃水の処理槽１０への還流（８３０ml）を前述と同様に行った。この定常化の操作を繰り返して合計７０回行った。
【００４０】
上記繰り返しにおいて、処理槽１０における汚泥処理後の廃水の硝酸・亜硝酸濃度は段階的に減少し、６０回目の汚泥処理後には、アンモニア濃度６mg-Ｎ／Ｌ、硝酸・亜硝酸濃度７３mg-Ｎ／Ｌとなった。又、リン酸濃度については、急激に減少して６０回目以降はほぼ５mg-Ｐ／Ｌ程度の値であったが、７０回目に若干増加して８mg-Ｐ／Ｌとなった。このため、これ以後の分離操作においては、上澄み廃水の廃棄と共に残留汚泥の約４％／日も廃棄することとした。下処理後の廃水は、概して、アンモニア濃度３２５mg-Ｎ／Ｌ、硝酸・亜硝酸濃度０mg-Ｎ／Ｌ、リン酸濃度４０mg-Ｐ／Ｌとなった。
【００４１】
上記繰り返しの後、更に、上記と同様の条件で、処理槽１０での汚泥処理及び分離槽３０での沈降分離を行った。処理槽１０内の廃水は、汚泥処理開始前のアンモニア濃度７０mg-Ｎ／Ｌ、硝酸・亜硝酸濃度５８mg-Ｎ／Ｌ、リン酸濃度１５mg-Ｐ／Ｌから、嫌気性処理後にはアンモニア濃度７０mg-Ｎ／Ｌ、硝酸・亜硝酸濃度０mg-Ｎ／Ｌ、リン酸濃度２０mg-Ｐ／Ｌとなり、好気性処理後にはアンモニア濃度６mg-Ｎ／Ｌ、硝酸・亜硝酸濃度７３mg-Ｎ／Ｌ、リン酸濃度５mg-Ｐ／Ｌとなった。一方、分離槽３０の廃水は、沈降分離され、廃水の上澄み４１５ml（アンモニア濃度６mg-Ｎ／Ｌ、硝酸・亜硝酸濃度７３mg-Ｎ／Ｌ、リン酸濃度５mg-Ｎ／Ｐ）を廃棄し、同時に残留活性汚泥の約１％も廃棄した。残りを下処理槽４０へ移送して上記と同様に曝気処理を行った後に原廃水（アンモニア濃度６５０mg-Ｎ／Ｌ、硝酸・亜硝酸濃度０mg-Ｎ／Ｌ、リン酸濃度２５mg-Ｐ／Ｌ）４１５mlを加えた。この時、下処理槽４０の廃水は、アンモニア濃度３２５mg-Ｎ／Ｌ、硝酸・亜硝酸濃度３７mg-Ｎ／Ｌ、リン酸濃度１５mg-Ｐ／Ｌとなった。この廃水は、下処理後には、アンモニア濃度３２５mg-Ｎ／Ｌ、硝酸・亜硝酸濃度０mg-Ｎ／Ｌ、リン酸濃度４０mg-Ｐ／Ｌとなった。
【図面の簡単な説明】
【００４２】
【図１】本発明に係る廃水の活性汚泥処理装置を示す概略構成図である。
【符号の説明】
【００４３】
１０  処理槽、  ３０  分離槽、  ４０  下処理槽
１２，４４  攪拌装置、  １１，４５  曝気装置
Ｗ，Ｗ１，Ｗ’  廃水、  Ｓ，Ｓ１，Ｓ２  活性汚泥
【図１】
2008023498.tif 000003